(57)【特許請求の範囲】
【請求項１】
内箱に一体に成形された棚受けレールに摺動自在に支持された前棚と、この前棚の後方に架設された後棚とから成り、これら両棚が前後に連続して配置された状態と、前記前棚を後方に摺動させ、後棚と重複させた状態とに選択可能とした冷蔵庫の棚装置において、
前記棚受けレールの前部に隆起形成された被係合部と、前記前棚から下方に突出して形成された係合部とを備え、この係合部の後面は前記被係合部の前面に係合すると共に、その状態で前記前棚は前記被係合部の上面に当接し、前記係合部の下面は前記棚受けレールより離間することを特徴とする冷蔵庫の棚装置。
【請求項２】
被係合部の前側に位置する棚受けレールには凹陥部を形成し、この凹陥部を前棚の係合部に対応させたことを特徴とする請求項１の冷蔵庫の棚装置。
【発明の詳細な説明】
【０００１】
【発明の属する技術分野】
本発明は、冷蔵庫の庫内に架設されて食品などを載置するための棚装置に関し、特に、その前後幅を伸縮自在とし、棚面積を可変としたものに関するものである。
【０００２】
【従来の技術】
従来よりこの種家庭用冷蔵庫は、例えば特開平８−３３８６８１号公報（Ｆ２５Ｄ２３／００）に示される如く、鋼板製の外箱と硬質樹脂製の内箱間に発泡ポリウレタンなどの発泡断熱材を現場発泡方式にて充填した断熱箱体から構成されており、この断熱箱体内を上下複数に区画することによって、−２０℃などの凍結温度に冷却される冷凍室や、＋５℃などの冷蔵温度に維持される冷蔵室、そして、野菜などの乾燥を嫌う食品を保存するための野菜室などを形成している。
【０００３】
特に、前記公報では頻繁に食品の納出が行われる冷蔵室や野菜室を上方に配置し、長期保存を目的とした冷凍室は庫内の最下部に配置した冷蔵庫が開発されている。この場合、冷蔵室は断熱箱体内の最上部に、野菜室は下部の冷凍室と上部の冷蔵室の間に形成される。
【０００４】
また、最上部の冷蔵室内には冷蔵食品を整理して載置するための棚が複数段架設されている。これらの棚は冷蔵室内を上下方向に有効に活用するために必要なものであるが、棚の間隔によって棚上の空間の上下寸法が規制されてしまうことになるため、背の高い食品は収納し難くなる。
【０００５】
そこで、近年では棚を例えば前後方向に伸縮できるように構成し、その前後幅寸法を可変としたものが開発されている。この場合、通常は棚を前後に配置された前棚と後棚とから構成し、前棚は前後に摺動できるように棚受けレールに支持させて置く。そして、前棚と後棚が前後に連続して配置された状態では前後の棚の略全域が載置面となると共に、前棚を摺動させて後棚の下側に滑り込ませ、重複させた状態では、棚の前後の寸法（載置面）は略後棚のみの寸法まで縮小される。
【０００６】
更に、その状態で前後の棚を一緒に回動できるように構成して置き、それらを冷蔵室の奥壁前側に立てかけることにより、前後の棚の略全体を撤去できるように構成している。係る構成によれば、背の高い食品の量や前後方向の寸法に応じて、棚の前後寸法を変化させ、冷蔵室内容積を有効利用することができるようになる。
【０００７】
ところで、上述の如き棚構造では前棚が前後に摺動自在であるため、食品の納出の際に手や物品が前棚に当接すると、前棚は後方に移動してしまう。そこで、係る不用意な前棚の移動を阻止するため、従来では棚受けレールの前部に被係合部を隆起して形成すると共に、前棚前部には下方に突出する係合部を形成し、この係合部の後面を前記被係合部の前面に係合させることによって、前棚の移動を阻止するように構成していた。
【０００８】
【発明が解決しようとする課題】
しかしながら、棚受けレールは通常冷蔵庫の内箱に一体に成形されるため、被係合部の前面下端の隅角部は滑らかな湾曲形状となってしまう。更に、前棚の係合部の下面は係る被係合部の前側の棚受けレールに当接するかたちとなっていたた。そのため、係合部は係る被係合部前面の湾曲形状に沿って容易に上昇できるようになり、手や物品が当接しただけで簡単に両者の係合が解除され、前棚が後方に移動してしまうと云う欠点があった。
【０００９】
本発明は、係る従来の技術的課題を解決するために成されたものであり、摺動自在に支持された前棚とこの前棚の後方に架設された後棚から成る冷蔵庫の棚装置において、簡単な構造により前棚の不用意な移動を阻止することを目的とする。
【００１０】
【課題を解決するための手段】
本発明の冷蔵庫の棚装置は、内箱に一体に成形された棚受けレールに摺動自在に支持された前棚と、この前棚の後方に架設された後棚とから成り、これら両棚が前後に連続して配置された状態と、前棚を後方に摺動させ、後棚と重複させた状態とに選択可能としたものであって、棚受けレールの前部に隆起形成された被係合部と、前棚から下方に突出して形成された係合部とを備え、この係合部の後面は被係合部の前面に係合すると共に、その状態で前棚は被係合部の上面に当接し、係合部の下面は棚受けレールより離間するように構成したものである。
【００１１】
本発明によれば、棚受けレールに摺動自在に支持された前棚と、この前棚の後方に架設された後棚とから成り、これら両棚が前後に連続して配置された状態と、前棚を後方に摺動させ、後棚と重複させた状態とに選択可能とした冷蔵庫の棚装置において、棚受けレールの前部に被係合部を隆起形成し、前棚には下方に突出する係合部を形成すると共に、この係合部の後面を被係合部の前面に係合させ、その状態で前棚は被係合部の上面に当接し、且つ、係合部の下面は棚受けレールより離間するように構成したので、内箱に一体に成形された棚受けレールの被係合部の前面下端隅角部が湾曲していても、前棚の係合部後面は被係合部の前面に確実に係合するようになる。
【００１２】
従って、使用者の手や物品が前棚に当接しても、簡単には係合部と被係合部の係合状態が解除されなくなり、前棚は安定的に架設されるようになる。これにより、前棚の不用意な移動による載置物品の落下や転倒を効果的に防止することができるようになるものである。特に、構造も簡単であるので、生産コストも低く抑えられるものである。
【００１３】
請求項２の発明の冷蔵庫の棚装置は、上記において被係合部の前側に位置する棚受けレールには凹陥部を形成し、この凹陥部を前棚の係合部に対応させたものである。
【００１４】
請求項２の発明によれば、上記に加えて被係合部の前側に位置する棚受けレールに凹陥部を形成し、この凹陥部を前棚の係合部に対応させるようにしたので、係合部の下面を棚受けレールより離間させながら、それより前方の前棚と棚受けレール間の隙間を小さくして前方からの外観を向上させることができるようになるものである。
【００１５】
【発明の実施の形態】
次に、図面に基づき本発明の実施形態を詳述する。図１は本発明を適用した実施例としての冷蔵庫１の各扉を除く正面図、図２は同じく扉を除く冷蔵庫１の一部切欠正面図、図３は冷蔵庫１の縦断側面図、図４は冷蔵庫１のもう一つの縦断側面図である。本発明の冷蔵庫１は、前方に開口する鋼板製の外箱２と、薄肉硬質樹脂（例えばＡＢＳ樹脂）製の内箱３間に発泡ポリウレタン断熱材４を現場発泡方式により充填して成る断熱箱体６により構成されており、この断熱箱体６の庫内は、略中央部に設けられた区画部材７によって上下に区画され、この区画部材７の上方を冷蔵温度（＋５℃程）に維持される冷蔵室８としている。
【００１６】
区画部材７の下方は更に区画部材１０にて上下に区画され、この区画部材１０と区画部材７の間を野菜などの乾燥を嫌う食品を収納するための野菜室１１とし、区画部材１０の下方を凍結温度（−２０℃程）に冷却される冷凍室１２としている。
【００１７】
前記冷蔵室８内には上から透明硬質樹脂製の棚１３、１４と、最下段には同じく透明硬質樹脂製のマジック棚１５が所定間隔を存してそれぞれ架設されており、その下部には上面に開口する氷温容器１６が前後方向に納出自在に配置されている。この氷温容器１６の上側は棚板１７にて閉塞され、前面は氷温容器１６の引き出し動作で開閉する蓋１８にて閉じられており、これによって、氷温容器１６内に氷温（０℃〜−３℃）に維持される氷温室１９を構成する。また、冷蔵室８の前面開口は回動式の扉２１にて開閉自在に閉塞されている。
【００１８】
更に、冷蔵室８の背部には上部がＹ字状に分岐した冷蔵室ダクト２４が上下に渡って形成されており、その左右には冷蔵室ダクト２４の上端部と冷蔵室８内に連通した冷蔵室冷気吐出口２６が上下に複数形成されている。また、前記氷温容器１６内の氷温室１９の背方にも冷蔵室ダクト２４に連通した氷温室冷気吐出口２５、２５が形成されると共に、その奥部には冷蔵室冷気戻り口２７が形成されている。即ち、氷温室１９内を循環した冷気と冷蔵室８内を循環した冷気の一部はこの冷蔵室冷気戻り口２７に流入する。
【００１９】
一方、前記区画部材７は、後部の仕切板２８とその前側の内箱３開口縁部に取り付けられた仕切前断熱部材２９とから構成されている。仕切板２８の前部には、冷蔵室冷気戻り口３１が形成されており、氷温容器１６の前部下側に位置している。この氷温容器１６は仕切板２８と仕切前断熱部材２９上に間隔を存して架設されており、これによって、扉２１の内側を降下して来た冷蔵室８内の冷気は、氷温容器１６の前側から冷蔵室冷気戻り口３１に流入可能としている。
【００２０】
また、仕切前断熱部材２９の下面は後端部から前方に低く傾斜しており、更にこの傾斜面には前後方向に延在する複数のリブが一体に突出形成されている。更に、この仕切前断熱部材２９の下面前部には上蓋３２が前方から差し込まれて固定されている。この上蓋３２は仕切前断熱部材２９及び仕切板２８の下側に位置し、その固定部分を除いて仕切前断熱部材２９及び仕切板２８との間に所定の間隔Ｇを形成する。そして、この間隔Ｇは少なくとも上蓋３２の前端部で野菜室１１内に開放している。
【００２１】
この間隔Ｇの後端は連通孔３３にてその後方のダクト空間３４に連通しており、ダクト空間３４の上部は前記冷蔵室冷気戻り口２７に連通している。また、前記冷蔵室ダクト２４からはバイパスダクト３６が分岐して形成されており、このバイパスダクト３６はダクト空間３４の上部に連通している。
【００２２】
そして、前記野菜室１１の右上奥部には野菜室冷気戻り口３７が形成されており、この野菜室１１の前面開口は引き出し式の扉３８により開閉自在に閉塞される。この場合、扉３８の後面左右には図示しない扉側レールが後方に延在して取り付けられており、内箱３側左右には内箱側レール４２が取り付けられ、扉側レールがローラを介して内箱側レール４２に滑動自在に支持されるものである。
【００２３】
そして、この扉側レールには扉３８の裏面に位置して上面に開口した野菜容器４３が取り付けられる。この野菜容器４３の上縁周囲は、扉３８が閉じられた状態で上蓋３２に密着し、それによって、上面開口は閉塞される。
【００２４】
他方、前記区画部材１０は断熱材を内蔵した断面略Ｌ字状の断熱仕切壁９と、その前側の内箱３の開口縁部に取り付けられた仕切前部材８３とから構成されている。また、この仕切前部材８３の下方の内箱３の開口縁部にはもう一つの仕切前部材８４が取り付けられ、冷凍室１２に対応する断熱箱体６の開口部を上下に仕切っている。
【００２５】
一方、前記冷凍室１２の背部には仕切板４４により冷却室４６が画成されており、この冷却室４６は冷凍室１２の背方から野菜室１１後面の断熱仕切壁９の背方まで渡っている。そして、この冷却室３６内には冷却装置を構成する冷却器４７が縦設されると共に、この冷却器４７の上方の冷却室４６内には、野菜室１１背方の断熱仕切壁９背方に位置して送風機４８が設置されている。
【００２６】
この冷凍室１２前面の上下二つ開口は前述の扉３８の場合と同様の方式で引き出し自在とされた上下二段の引き出し式の扉５１、５２によりそれぞれ開閉自在に閉塞される。これら扉５１、５２の裏面にはそれぞれ上面に開口した容器５３、５４が取り付けられると共に、各容器５３、５４が冷凍室１２内の上下に配置されて、冷凍食品やアイスクリームなどを収納するかたちとなる。
【００２７】
前記仕切板４４と冷却器４７及び送風機４８間には冷気分配用ダクト５６が形成されており、仕切板４４にはこのダクト５６と冷凍室１２とに連通する冷凍室冷気吐出口５７、５８が各容器５３、５４の上奥部に対応して開口している。また、断熱仕切壁９の下面にはダクト５６に連通した冷凍室用冷気ダクト６４が形成されている。冷凍室１２内上部には自動製氷機６１が取り付けられており、自動製氷機６１には冷凍室冷気吐出口５７から冷気が供給される。尚、６２はこの自動製氷機６１への給水管である。また、容器５４の背方には冷却室４６の下部に連通した冷凍室冷気戻り口６３が形成されている。
【００２８】
ダクト５６の上部には送風機４８の側方に位置して冷気分配口６６が形成され、この冷気分配口６６から上昇する連通ダクト６７は、野菜室１１の背方において冷蔵室ダクト２４の下端に連通している。この連通ダクト６７内には、前記各吐出口２６、２５やバイパスダクト３６の手前に位置して、モータ駆動のダンパー６８が取り付けられており、野菜室１１の背方に位置している。
【００２９】
また、冷却器４７の右側方には冷蔵室・野菜室冷気戻りダクト７１が形成されており、その上端は前記野菜室冷気戻り口３７に連通し、その下端は冷却室４６の下部に開口した冷蔵室・野菜室冷気戻り口７２にて冷却室４６内に連通している。
【００３０】
この場合、冷却器４７下側の冷却室４６には右方に突出した凹部４６Ａが連続して形成されており、前記冷蔵室・野菜室冷気戻り口７２は、この凹部４６Ａの上面において、下前方に指向した状態で開放している（図３参照）。
【００３１】
一方、断熱箱体６の底壁は後部が階段状に立ち上がる形状とされており、この底壁の後部外側には機械室７３が形成されている。この機械室７３内には冷却装置を構成する図示しない圧縮機や蒸発皿コンデンサなどが設置される。
【００３２】
係る構成で冷蔵庫１の動作及び冷気循環を説明する。前記圧縮機と送風機４８が運転されると、冷却器４７が冷却作用を発揮する。この冷却器４７にて冷却された極めて低温（−２５℃〜−３０℃）の冷気は、上方の送風機４８の運転により吸引され、前方の分配ダクト５６に吹き出される。分配ダクト５６に吹き出された冷気は冷凍室冷気吐出口５７、５８及び冷凍室用ダクト６４から冷凍室１２内の各容器５３、５４及び自動製氷機６１内に吐出され、−２０℃程の凍結温度に冷却すると共に、製氷を行う。そして、冷凍室１２内の冷気は冷凍室冷気戻り口６３から冷却器４７の吸い込み側の冷却室４６内に帰還する（各図に矢印で示す）。
【００３３】
分配ダクト５６に吹き出された冷気は、また、冷気分配口６６から連通ダクト６７及びダンパー６８を経て冷蔵室ダクト２４に流入し、そこを上昇した後、各冷蔵室冷気吐出口２６・・及び氷温室冷気吐出口２５より冷蔵室８及び氷温室１９内に吐出される（図中矢印参照）。ダンパー６８は冷蔵室８内の温度に基づき制御されて連通ダクト６７を開閉するので、それによって、冷蔵室８内を＋５℃程の冷蔵温度に、氷温室１９内は０℃〜−３℃程の氷温に維持される。
【００３４】
尚、このダンパー６８を経た冷気（冷却器４７と熱交換した直後の低温の冷気）の一部は前記バイパスダクト３６に流入し、直接ダクト空間３４の上部に流入する。
【００３５】
他方、冷蔵室８内を循環して扉２１の内側を流下して来た冷気は、氷温容器１６の前部下側の冷蔵室冷気戻り口３１から上蓋３２と区画部材７間の間隔Ｇ内に流入する。そして、前方に移動しながら仕切前断熱部材２９下面の傾斜に沿って下方の野菜容器４３周囲の野菜室１１内の空間に流下する。
【００３６】
また、氷温室１９内を循環した冷気と、冷蔵室８内を循環した冷気の残りは後部の冷蔵室冷気戻り口２７からダクト空間３４内上部に流入し、そこで、バイパスダクト３６を経て来た低温の冷気と混合される。その後、連通孔３３から間隔Ｇの後部に流入し、前述同様に前方に移動し、途中冷蔵室冷気戻り口３１からの冷気と混じり合いながら仕切前断熱部材２９下面の傾斜に沿って下方の野菜容器４３周囲の野菜室１１内の空間に流下する。
【００３７】
これによって、野菜容器４３内を周囲から保冷する。そして、野菜室１１内を循環した冷気は野菜室冷気戻り口３７より冷蔵室・野菜室冷気戻りダクト７１に流入し、そこを流下して冷蔵室・野菜室冷気戻り口７２より冷却器４７の吸い込み側の冷却室４６内に帰還する（各図中矢印参照）。
【００３８】
ここで、冷蔵室８の左右側面に位置する内箱３には、棚１３〜１５用の棚受けレール７４、７５、７６が内側に突出し、前後に延在して一体に形成されている。特に、最下段の棚受けレール７６の前部には内側に張り出した張出部７６Ａが形成されると共に、この張出部７６Ａの上面には矩形状に隆起した被係合部７８が一体に形成され、更に、この被係合部７８の前側には下方に凹陥した凹陥部７９が連続して形成されている（図７）。
【００３９】
また、棚受けレール７６の中央より少許後側の位置には切欠部８１が形成されると共に、棚受けレール７６の後端部には軸受凹所８２が下方に連続して大きく凹陥形成されている。
【００４０】
一方、前記マジック棚１５は前棚８７と後棚８８とから成り、両者の配置関係を変更することにより、その前後寸法（載置面積）が可変とされている。前記前棚８７の下面両側前部には下方に突出する係合部８９が一体に形成されており、係合部８９の前面は前部が徐々に高くなる傾斜面とされると共に、後面は垂下する形状とされている。また、両側の係合部８９、８９の後方には下辺がそれぞれ両側方に突出する断面Ｌ字状を成す保持腕９１、９１がそれぞれ形成されている。
【００４１】
他方、後棚８８の両側端部は垂下した後内側に屈曲する断面略コ字状に成形されており、このコの字の下壁８８Ａにおける中央より前側寄りの位置には下方に吐出したストッパー９２が形成されている。また、下壁８８Ａの前端は連続して直角に立ち上がり前壁８８Ｂとなると共に、この前壁８８Ｂの上端は後棚８８の上面（載置面）より離間している。
【００４２】
更に、両側の下面８８Ａ、８８Ａの後部からは垂下片９３が連続して垂下形成されており、これら垂下片９３、９３の外面には、それぞれ左右（外方）に突出する回動軸９４が一体に成形されている。
【００４３】
ここで、前棚８７の係合部８９の下面から係合部８９の後側の前棚８７下面までの距離は、棚受けレール７８の被係合部７８の上面から凹陥部７９の底面までの距離よりも小さくなるように設定されている。また、ストッパー９２の後面から回動軸９４の後面までの距離は、切欠部８１を構成する後端面８１Ａから軸受凹所８２の後面８２Ａまでの距離よりも小さくなるように設定されているものとする。
【００４４】
以上の構成で、次ぎに係るマジック棚１５の機能を説明する。マジック棚１５を構成する前棚８７及び後棚８８は、左右の棚受けレール７６、７６に両側部を支持されて図６の如く前後に配置される。このとき、後棚８８の回動軸９４、９４は棚受けレール７６、７６の軸受凹所８２、８２内に挿入され、回動自在とされると共に、ストッパー９２は切欠部８１内の後端部に位置し、下壁８８Ａ、８８Ａが棚受けレール７６、７６上に載置されるかたちとなる（図６）。
【００４５】
一方、前棚８７の保持腕９１、９１は下辺を棚受けレール７６、７６の下側に入り込ませたかたちで移動自在に棚受けレール７６、７６に係合し、張出部７６Ａの後側に位置すると共に、前棚８７の後端部両側は後棚８８の前壁８８Ｂと上面間に移動自在に挿入されたかたちとなる。
【００４６】
更に、係合部８９は被係合部７８の前側に位置し、その後面が被係合部７８の前面に係合すると共に、被係合部７８の上面は係合部８９の後側の前棚８７下面に当接して前棚８７を保持している。また、その状態で係合部８９は棚受けレール７６の凹陥部７９に対応すると共に、その下面は凹陥部７９の底面から離間している（図６、図８）。
【００４７】
係る状態では（図６）、マジック棚１５の前棚８７と後棚８８は前後に連続して配置され、それらの上面の略全てが載置面となるため、背の低い食品などを数多く載置することができる。このとき、前棚８７の下面は棚受けレール７６の被係合部７８の上面に当接しており、係合部８９の下面は凹陥部７９の底面より離間しているので、棚受けレール７６の成形時に被係合部７８の前面下端隅角部が湾曲していても、前棚８７の係合部８９の後面は被係合部７８の前面に確実に係合している。
【００４８】
従って、使用者の手や物品が前棚８７に当接しても、簡単には係合部８９と被係合部７８の係合状態が解除されなくなり、前棚８７は安定的に架設されるようになる。これにより、前棚８７の不用意な移動による載置物品の落下や転倒を効果的に防止することができるようになる。
【００４９】
また、被係合部７８の前側に位置する棚受けレール７６に凹陥部７９を形成し、この凹陥部７９を前棚８７の係合部８９に対応させているので、係合部８９の下面を棚受けレール７６より離間させながら、それより前方の前棚８７と棚受けレール７６間の隙間を小さくし、前方からの外観を向上させることができる。
【００５０】
次ぎに、前後寸法は小さいが、背の高い物品を収納しなければならないような場合には、前棚８７の前部を少許持ち上げて係合部８９を被係合部７８の上まで移動させ、それらの係合を解除する（図９）。次ぎに、前棚８７を後方に摺動させ、その両端部を後棚８８の上面と下壁８８Ａ間に進入させて行く。そして、係合部８９の後面が後棚８８の前壁８８Ｂに当接した状態で前棚８７は停止し、両者は図１０の如く略重複した状態となると共に、保持腕９１は棚受けレール７６の切欠部８１に対応する。
【００５１】
この状態で、マジック棚１５前方の空間は棚板１７から棚１４まで上下方向に拡張されるかたちとなるので、背の高い物品も棚板１７上に載置して収納できると共に、後棚８８上には依然物品を収納可能となる。
【００５２】
また、前棚８７を後方に移動させ、係合部８９が前壁８８Ｂに当接すると、後棚８８も後方に押されるかたちとなる。しかしながら、前述の如く、ストッパー９２の後面から回動軸９４の後面までの距離が、切欠部８１を構成する後端面８１Ａから軸受凹所８２の後面８２Ａまでの距離よりも小さくなるように設定されているので、後棚８８が後方に押された場合、回動軸９４が軸受凹所８２の後面８２Ａに当接する以前に、ストッパー９２が切欠部８１の後端面８１Ａに当接してそれ以上の移動が阻止されるようになる。
【００５３】
これにより、前棚８７の移動によって回動軸９４が軸受凹所８２に当接され、折損してしまう不都合を未然に回避することが可能となる。尚、この状態からマジック棚１５を初期状態（図６）に戻す場合には、前棚８７を前方に引き出せば、やがて係合部８９がその傾斜面によって被係合部７８に乗り上げ、前側に係合する。また、それ以上前棚８７を引き出そうとしても保持腕９１が張出部７６Ａの後面に当接するので、前棚８７の引き抜きは阻止される。
【００５４】
次ぎに、奥行き寸法も大きい背の高い物品を収納しなければならない場合には、図１０の状態からマジック棚１５の前部を持ち上げ、回動軸９４を中心として両棚８７、８８を共に図１０中時計回りに回動させる。このとき、保持腕９１は棚受けレール７６の切欠部８１を通過して上昇すると共に、両棚８７、８８は冷蔵室８の背面に立てかけられるかたちとなる。
【００５５】
この状態で、マジック棚１５は撤去されたものと同等になり、棚板１７上の略全域が棚１４まで上下方向に拡張されるかたちとなるので、背が高く奥行き寸法も大きい物品も棚板１７上に載置して収納できるようになる。
【００５６】
【発明の効果】
以上詳述した如く本発明によれば、棚受けレールに摺動自在に支持された前棚と、この前棚の後方に架設された後棚とから成り、これら両棚が前後に連続して配置された状態と、前棚を後方に摺動させ、後棚と重複させた状態とに選択可能とした冷蔵庫の棚装置において、棚受けレールの前部に被係合部を隆起形成し、前棚には下方に突出する係合部を形成すると共に、この係合部の後面を被係合部の前面に係合させ、その状態で前棚は被係合部の上面に当接し、且つ、係合部の下面は棚受けレールより離間するように構成したので、内箱に一体に成形された棚受けレールの被係合部の前面下端隅角部が湾曲していても、前棚の係合部後面は被係合部の前面に確実に係合するようになる。
【００５７】
従って、使用者の手や物品が前棚に当接しても、簡単には係合部と被係合部の係合状態が解除されなくなり、前棚は安定的に架設されるようになる。これにより、前棚の不用意な移動による載置物品の落下や転倒を効果的に防止することができるようになるものである。特に、構造も簡単であるので、生産コストも低く抑えられるものである。
【００５８】
請求項２の発明によれば、上記に加えて被係合部の前側に位置する棚受けレールに凹陥部を形成し、この凹陥部を前棚の係合部に対応させるようにしたので、係合部の下面を棚受けレールより離間させながら、それより前方の前棚と棚受けレール間の隙間を小さくして前方からの外観を向上させることができるようになるものである。
【図面の簡単な説明】
【図１】本発明を適用した実施例としての冷蔵庫の各扉を除く正面図である。
【図２】同じく扉を除く本発明の冷蔵庫の一部切欠正面図である。
【図３】本発明の冷蔵庫の縦断側面図である。
【図４】本発明の冷蔵庫のもう一つの縦断側面図である。
【図５】本発明の冷蔵庫の冷蔵室内の分解斜視図である。
【図６】本発明の冷蔵庫のマジック棚の縦断側面図である。
【図７】本発明の冷蔵庫のマジック棚を架設する棚受けレール前部の側面図である。
【図８】本発明の冷蔵庫のマジック棚の前棚前部の縦断側面図である。
【図９】本発明の冷蔵庫のマジック棚の操作手順を説明する図である。
【図１０】前棚と後棚を重複させた状態の本発明の冷蔵庫のマジック棚の縦断側面図である。
【符号の説明】
１  冷蔵庫
２  外箱
３  内箱
４  ポリウレタン断熱材
６  断熱箱体
８  冷蔵室
１１  野菜室
１２  冷凍室
１５  マジック棚
７６  棚受けレール
７８  被係合部
７９  凹陥部
８１  切欠部
８２  軸受凹所
８７  前棚
８８  後棚
８９  係合部
９１  保持腕
９２  ストッパー
９４  回動軸
【図１】
0003573917.tif 000002
【図２】
0003573917.tif 000003
【図３】
0003573917.tif 000004
【図４】
0003573917.tif 000005
【図５】
0003573917.tif 000006
【図６】
0003573917.tif 000007
【図７】
0003573917.tif 000008
【図８】
0003573917.tif 000009
【図９】
0003573917.tif 000010
【図１０】
0003573917.tif 000011